(57)【要約】　　　（修正有）【課題】扉開閉走行時における扉体の走行安定性及び安全性の向上並びに転倒・斜行の防止を図り、締切時における締付装置を不要とする。【解決手段】扉体７の格納部４側端にガイド機能を有する転倒防止桁９が設けられ、開口部３の扉体格納側堤防２端部天端上に機械台１８が設けられ、機械台１８の上に扉体開閉駆動装置２０が設けられ、かつ機械台１８の下側に扉体７の前後面７ａ、７ｂに当接する扉体走行駆動ローラ４８〜５１が上下にかつ垂直軸心廻りに回転可能に設けられ、駆動装置２０により連動機構を介して駆動されるように構成され、機械台１８の下側に扉体走行ガイドローラ６６、７０が設けられ、扉体７が昇降ジャッキ８を介して走行車輪６により昇降可能に支持されるように構成されている。【選択図】図１
0003100410.tif 000002
【実用新案登録請求の範囲】
【請求項１】
　防潮堤等の開口部を閉塞するための横引き走行式防潮扉において、扉体の格納部奥側端にこれから張り出し状にガイド機能を有する転倒防止桁が設けられ、前記開口部の扉体格納側堤防端部天端上に機械台が前記格納部側に張り出し状に設けられ、該機械台上に扉体開閉駆動装置が設けられ、かつ機械台の下側に前記扉体の幅方向両側即ち前後面に当接する扉体走行駆動ローラが上下にかつ垂直軸心廻りに回転可能に設けられ、前記駆動ローラが前記駆動装置により連動機構を介して駆動されるように構成され、前記機械台の下側に前記駆動ローラの扉体格納部奥側に位置して前記転倒防止桁にも当接する扉体走行ガイドローラが設けられ、前記扉体が昇降ジャッキを介して走行車輪により昇降可能に支持されるように構成されていることを特徴とする走行式防潮扉。
【請求項２】
　前記駆動ローラがクラッチを介して手動駆動装置により駆動されるように構成されていることを特徴とする請求項１に記載の走行式防潮扉。
【請求項３】
　前記駆動ローラのうち少なくとも扉体の前後面の一方側が扉体に対して前後移動可能とされると共に、付勢手段により押圧されていることを特徴とする請求項１又は２に記載の走行式防潮扉。
【請求項４】
　前記付勢手段がバネ座金からなりローラ接触圧調整可能とされていることを特徴とする請求項３に記載の走行式防潮扉。
【請求項５】
　前記駆動ローラが前記機械台の下面及び下部台に回転可能に設けられ、上下の連動歯車群を介して駆動ローラ軸により回転駆動するように構成されていることを特徴とする請求項１に記載の走行式防潮扉。
【請求項６】
　前記駆動ローラの外周面にウレタン樹脂等の摩擦力増大材料層が形成されていることを特徴とする請求項１〜５に記載の走行式防潮扉。
【請求項７】
　前記扉体の格納側と反対側端上端部に転倒防止用係止部が設けられると共に、前記堤防の開口部端天端部に前記転倒防止用係止部が係合せられる係止部材が設けられていることを特徴とする請求項１〜６に記載の走行式防潮扉。
【考案の詳細な説明】
【考案の詳細な説明】
【産業上の利用分野】
【０００１】　本考案は、防潮堤、倉庫等の通路用開口部に設けられる横引き走行式防潮扉に関するものである。
【背景技術】
【０００２】　一般に、防潮堤等の通路用開口部には、台風による高潮襲来時などに、この開口部を閉塞するための防潮堤が設置されている。
　従来、走行車輪を備えた扉体の上端に、これの長手方向全幅にわたってガイドレール兼被開閉駆動ラックを設けると共に、これを格納部側端から延出させて転倒防止用の係止部を構成し、この係止部を張り出しブラケットによりガイドローラを介して支持するようにし、前記堤体上に軸支された駆動軸の先端に設けた開閉駆動ピニオンを前記ラックに噛合させ、前記ピニオンを回転駆動することにより、扉体を支持案内しながら開閉するようにした防潮堤が提案されている（例えば実公昭５０−２１８４９号公報参照）。
【考案が解決しようとする課題】
【０００３】　ところで、上記従来技術では、前記転倒防止手段が扉体の上端部を支持するものであるから、扉走行時における安定性に問題があり、扉体による開口部締切時における扉体締付装置が不可欠である。
　本考案は、上記実状に鑑みてなされたもので、その目的とするところは、扉開閉走行時における扉体の走行安定性及び安全性の向上並びに扉体締付装置の不要化を図りうる走行式防潮扉を提供するにある。
【課題を解決するための手段】
【０００４】　本考案では、上記目的を達成するために、次の技術的手段を講じている。
　即ち、本考案は、防潮堤等の開口部を閉塞するための横引き走行式防潮扉において、扉体の格納側端にこれから張り出し状にガイド機能を有する転倒防止桁が設けられ、前記開口部の扉体格納側堤防端部天端上に機械台が前記格納部側に張り出し状に設けられ、該機械台上に開閉駆動装置が設けられ、かつ機械台の下側に前記扉体の幅方向両側即ち前後面に当接する扉体走行駆動ローラが上下にかつ垂直軸心廻りに回転可能に設けられ、前記駆動ローラが前記駆動装置により連動機構を介して駆動されるように構成され、前記機械台の下側に前記駆動ローラの扉体格納部奥側に位置して前記転倒防止桁にも当接する扉体走行ガイドローラが設けられ、前記扉体が昇降ジャッキを介して走行車輪により昇降可能に支持されるように構成されていることを特徴としている。
【０００５】　また、本考案は、前記駆動ローラがクラッチを介して手動走行駆動装置により駆動されるように構成されていることを特徴としている。
　そして、本考案は、前記駆動ローラのうち少なくとも扉体の前後面の一方側が扉体に対して前後移動可能とされると共に、付勢手段により押圧されていることを特徴としている。
　本考案は、前記付勢手段がバネ座金からなりローラ接触圧調整可能とされていることを特徴としている。
　さらに、本考案は、前記駆動ローラが前記機械台の下側及び下部台に回転可能に設けられ、上下の連動歯車群を介して駆動ローラ軸により回転駆動するように構成されていることを特徴としている。
　本考案は、前記駆動ローラの外周面にウレタン樹脂等の摩擦力増大材料層が形成されていることを特徴としており、さらに、前記扉体の格納側と反対側の堤防上端部に転倒防止用の係止部を設けると共に、前記堤防の他端部に転倒防止用係止部に係合する係止部材が設けられていることを特徴としている。
【０００６】　本考案によれば、扉体が上下に配された駆動ローラにより挟まれた状態で走行駆動されるので、安定良くかつ円滑に案内走行され、扉体の転倒防止機能を確保でき、安全性の向上を図ることができる。しかも、手動による駆動装置を設けることで、停電時における扉体の開閉操作を行うことができる。さらに、駆動ローラに扉体への付勢手段を設けることで、駆動力を適正に伝達でき、扉体の転倒防止・斜行防止を図ると共に走行安定性を高めかつ円滑に走行駆動させることができる。
【考案を実施するための最良の形態】
【０００７】　以下、本考案の実施の形態を図面に基づき説明する。
　図１〜図１３は、本考案に係わる走行式防潮扉１の第一の実施形態を示している。
　本考案の防潮扉１は、防潮堤等の堤防２の開口部３を閉塞するための横引き走行式の防潮扉であって、扉体格納部４と前記開口部３に亘って敷設されたレール５に沿って走行する走行車輪６を備えた扉体７が、前記開口部３を開閉するように構成されている。そして、前記車輪６は扉体７を油圧ジャッキ８（又はスクリュウジャッキ）を介して昇降可能に支持しており、扉体７の走行時には扉体７を上昇させ、扉体格納時及び開口部３全閉時には扉体７を下降させて止水及び休止状態とすることができ、扉体７の締め付け固定装置が不要とされている。【０００８】　前記扉体７には、扉体格納部４側に、転倒防止桁９が張り出し状に延出されている。この転倒防止桁９は、その天端が扉体７の天端と面一とされ、かつその前後面が扉体７の幅方向前後面７ａ、７ｂと面一とされている。そして、前記扉体７の扉閉塞方向前端面７ｃ及び格納部４側端部後面７ｂには、上端から下端に亘って水密ゴム１０、１１が堤防２に当接可能に取り付けられている。また、扉体７の前記前端面７ｃ上端に係止部１２が突設されて、扉体７による開口部３の締切時において、該係止部１２が前記格納部４と反対側堤防２の天端に設けた係止部材１３に嵌入係止され、位置固定することで締切時の波による水圧または風圧による扉体７の転倒を防止するように構成されている。また、扉体７の前記前端面７ｃ下端及び後端面７ｄ下端には、前記レール５上にあるごみ類を除去するスクレーパ１４（ゴ厶又は鋼板等の金属製）が取り付けられている。【０００９】　前記格納部４は、海又は河川側に設けられており、扉体７及び転倒防止桁９の突出長さよりも長くされ、かつ、前後方向幅が扉体７の全幅よりも広くされている。そして、格納部４の奥端と、前記堤防２の係止部材１３側の天端には、扉体７の全開・全閉を検出するための近接スイッチ１５、１６が配設され、遠隔地においても扉体の開閉状態が判るようにしてある。
　また、前記扉体７の高さは、上側のローラ案内支持面１７ａ、１７ｂ高さＨと同じ寸法だけ堤防２の天端よりも高くされ、前記転倒防止桁９の上下幅が前記案内支持面高さＨと略同じ寸法とされており、該桁９の前後面も上部ローラ案内支持面となっている。【００１０】　前記堤防２の格納部４側天端には、開口部３側端部に位置して、扉体７の走行に支障をきたさないように、機械台１８が水平状にかつ格納部４側に張り出して設置されており、該機械台１８の開口部３側寄りに、扉体走行方向と直交する軸線を持つ駆動主軸１９を備えた開閉駆動装置２０が載設されている。
　前記開閉駆動装置２０は、図４、図５に示すように、リミットスイッチ内蔵の電動駆動機２１と、連動機構を構成する該駆動機２１の出力軸に電磁クラッチ２２を介して連結された前記駆動主軸１９と、該主軸１９を支持するベベルギヤボックス２３、２４とから成り、前記主軸１９はベベルギヤボックス２３、２４の間で３つに分割されかつ、カップリング２５、２６により連動連結されている。そして、前記主軸１９には、ベベルギヤボックス２３、２４内に位置して原動ベベルギヤ２７、２８が嵌着されている。【００１１】　前記ベベルギヤボックス２３、２４内には、ローラ駆動軸２９、３０の上端部が挿通されると共に従動ベベルギヤ３１、３２が取り付けられ、該従動ベベルギヤ３１、３２が前記主動ベベルギヤ２７、２８に噛合されている。
　前記ローラ駆動軸２９、３０は、前記扉体７の前後両面側に互いに平行でかつ垂直状に可動ブラケット３３、３４、３５、３６により扉体７の前後両面に対して移動可能とされている。なお、前記駆動軸２９、３０は、上部可動ブラケット３３、３４の上側で分割されカップリング３７、３８により連結一体化されている。そして、堤防側の前記駆動軸２９は、堤防２の格納部壁４ａに取り付けられた可動ブラケット３３、３５により軸支されており、他方の前記駆動軸３０は、前記機械台１８の下面に固定ブラケット３９を介して取り付けられた前記上部可動ブラケット３４と、地上に設置した下部の可動ブラケット３６とにより軸支されている。【００１２】　また、前記駆動軸２９、３０には、前記可動ブラケット３３〜３６内に位置して、ギヤ４０〜４３が取り付けられている。また、可動ブラケット３３〜３６には、それぞれ、前記ローラ駆動軸２９、３０と平行なローラ軸４４〜４７を介して駆動ローラ４８〜５１及び伝動ギヤ５２〜５５が取り付けられている。なお、伝動ギヤ５２〜５５は、図１３に示しているように、前記駆動ローラ４８〜５１の軸方向一端に同軸的に外嵌されボルト７２により固定されており、前記ローラ駆動軸２９、３０に取り付けた前記ギヤ４０〜４３に、噛合されている。【００１３】　そして、前記可動ブラケット３３〜３６は、図５、図９〜図１２に示しているように、堤防側壁に固定された台座５６、５７、前記固定ブラケット３９、及び地上に設けた固定台座５８に滑り受け材５９を介して扉体前後面７ａ、７ｂに対して進退自在に支持せられ、バネ座金６０、ボルト６１及びナット６２から成る付勢手段６３により、前記各駆動ローラ４８〜５１の扉体前後面への接触圧を調整可能に取り付けられている。従って、各駆動ローラ４８〜５１は、適切な駆動力を得られるように扉体７の前後面７ａ、７ｂに確実に当接させることができる。【００１４】　前記機械台１８の格納部奥側端下面には、図３、図６にも示しているように、固定ブラケット６４を介して可動ブラケット６５が、扉体前面７ａに対して進退可能に取り付けられ、該可動ブラケット６５にガイドローラ６６が、前記ローラ駆動軸２９、３０と平行な軸６７を介して回転可能に取り付けられており、図示していないが、前記付勢手段６３と同じ構造の付勢手段が介設され、前記ガイドローラ６６が前記扉体７に適正な接触圧で当接するように成っている。
　また、前記ガイドローラ６６の扉体７を挟んで堤防２側には、格納部壁４ａに取り付けたブラケット６８に、前記ローラ駆動軸２９、３０と平行な軸６９を介してガイドローラ７０が回転自在に取り付けられている。なお、このガイドローラ６６、７０は、扉体７が堤防開口部３を閉塞した状態において、前記転倒防止桁９の格納部奥側端部前後面に当接し、扉体７の転倒を防止すると共に、扉体７の走行案内をするようになっている。【００１５】　前記駆動ローラ４８〜５１は、図１３に示しているように、その外周にウレタン樹脂から成るタイヤ７１が嵌着され、摩擦力を高めて動力の伝達を円滑にかつ確実に行うようにしてある。前記ローラ駆動軸３０には、図３、図５〜図８に示すように、前記可動ブラケット３６の上側に位置して、従動ベベルギヤ７３が外嵌固着されており、該従動ベベルギヤ７３に手動走行駆動装置７４の駆動ベベルギヤ７５が噛合され、停電時においても防潮扉１の開閉走行を行えるようにしてある。なお、停電時には、ポータブル発電機により開閉駆動装置２０を操作することができる。【００１６】　前記手動走行駆動装置７４は、前記固定台座５８の格納部４奥側に隣接して設けた機械台７６上に設けられ、前記ベベルギヤ７５が固着された駆動軸７７とこの軸７７を軸支する軸受台７８と、手動操作ハンドル７９を備えた減速機８０と、減速機８０の出力軸と前記駆動軸７７とを連結・切り離しする手動クラッチ８１及びクラッチレバー８２とから成り、クラッチレバー８２により操作されるリミットスイッチ８３で、電動・手動の切替確認を行えるようにしてある。そして、手動走行駆動装置７４は、図８に示しているように、前記ローラ駆動軸３０を中心として回転させ、その取付位置を範囲Ｒだけ自由に変更可能なように構成することができる。【００１７】　前記扉体７の後面７ｂ下端部には、図５に示しているように下部水密ゴ厶８４が全長に亘って装着されている。また、扉体７の全閉・全開は、前記電動駆動機２１に内蔵されたリミットスイッチにより制限するように構成されている。
　なお、扉体７の前記上部ローラ案内支持面１７ａ、１７ｂ及び下部ローラ案内支持面１７の一部として、扉体７の上・下主桁を利用することができ、そのローラ接触面には滑り止めを施すのが好ましい。そして、前記両ガイドローラ６６、７０の外周には、耐摩耗性、耐久性に優れ、重荷重に耐える特殊ウレタン樹脂加工を施し、扉体７の転倒、斜行を防止できるようにするのが好ましい。なお、図１に示すように、前記格納部４の床面には、後部ストッパ８５が設けられ、扉体格納時の安全が図られている。【００１８】　本考案の上記実施形態によれば、前記防潮扉１の開閉は、電動駆動機２１によって４個の駆動ローラ４８〜５１を回転させることで、扉体７の前後面上下から走行駆動力が作用せられ、４個の駆動ローラ４８〜５１及び２個のガイドローラ６６、７０で挟み付けた状態で扉体７を安定良く円滑かつ確実に行われ、扉体７の転倒、斜行を防止できる。そして、開口部３の締切時には、堤防２の係止部材１３に扉体２の係止部１２が嵌入係止され、かつ、油圧ジャッキ８により扉体７が下降されて路面により支持され、止水及び休止状態と成るため、扉体７の締め付け装置は不要である。また、扉体７の格納時には、油圧ジャッキ８により扉体７を上昇させた状態で、前記駆動装置２０により扉体を安定良く格納走行させ、リミットスイッチにより停止制御されると共に、後部ストッパ８５に当たって停止され、前記油圧ジャッキ８により扉体７を下降させて、休止状態とする。【００１９】　そして、停電時等の非常時においては、ポータブル発電機によるか、或いは前記手動走行駆動装置７４のクラッチレバー８２を手動側に切り替えて手動操作ハンドル７９を、人力により回転駆動させることで、防潮扉１の開閉駆動操作を行うことができる。
【考案の効果】
【００２０】　本考案に係る防潮扉は、上述のように、防潮堤等の開口部を閉塞するための横引き走行式防潮扉において、扉体の格納側端にこれから張り出し状にガイド機能を有する転倒防止桁が設けられ、前記開口部の扉体格納側堤体端部天端上に機械台が前記格納側に張り出し状に設けられ、該機械台上に開閉駆動装置が設けられ、かつ機械台の下側に前記扉体の幅方向両側即ち前後面に当接する扉体走行駆動ローラが上下にかつ垂直軸心廻りに回転可能に設けられ、前記駆動ローラが前記駆動装置により連動機構を介して駆動されるように構成され、前記機械台の下側に前記駆動ローラの扉体格納部奥側に前記転倒防止桁にも当接する扉体走行ガイドローラが設けられ、前記扉体が昇降ジャッキを介して走行車輪により昇降可能に支持されるように構成されていることを特徴とするものであるから、扉体を円滑かつ確実にしかも安定良く走行させることができ、扉体の締切時及び格納時において、転倒防止のための締付装置が不要である。
【００２１】　また、本考案では、前記駆動ローラがクラッチを介して手動走行駆動装置により駆動されるように構成されていることを特徴とするものであるから、停電等の非常時においても、防潮扉の走行駆動を円滑かつ確実にしてしかも安定良く行うことができる。
　そして、前記駆動ローラのうち少なくとも扉体の前後面の一方側が扉体に対して前後移動可能とされると共に、付勢手段によりはさみ付けるように押圧されている構成であるから、扉体に駆動力を適正に伝達できる。
　また、前記駆動ローラの外周面にウレタン樹脂等の摩擦力増大材料層が形成されているので、扉体の転倒・斜行を確実に防止できる。
　さらに、前記扉体の格納側と反対側の上端部に係止部を設けると共に、前記堤防の天端に前記係止部に対応して転倒防止用の係止部材が設けられているので、扉体締切時における波による水圧または風圧による転倒防止を確実にすることができる。
【図面の簡単な説明】
【図１】本考案の実施形態を示す全体正面図である。
【図２】図１の平面図である。
【図３】図１の駆動装置部の拡大図である。
【図４】図３の一部省略平面図である。
【図５】図１のＡ−Ａ線矢視拡大図である。
【図６】図１のＢ−Ｂ線矢視拡大図である。
【図７】図６のＣ矢視図である。
【図８】図７の平面図である。
【図９】上部駆動ローラ詳細平面図である。
【図１０】図９の正面図である。
【図１１】下部駆動ローラ詳細平面図である。
【図１２】図１１の正面図である。
【図１３】駆動ローラの拡大断面図である。
【符号の説明】
１　防潮扉
２　堤防
３　開口部
４　格納部
４ａ　格納部壁
６　走行車輪
７　扉体
７ａ　扉体前面
７ｂ　扉体後面
８　油圧ジャッキ
９　転倒防止桁
１２　係止部
１３　係止部材
１８　機械台
２１　開閉駆動装置
２９　ローラ駆動軸
３０　ローラ駆動軸
３３〜３６　可動ブラケット
４８〜５１　駆動ローラ
６３　付勢手段
６５　可動ブラケット
６６　ガイドローラ
７０　ガイドローラ
７１　ウレタンタイヤ
７４　手動走行駆動装置
【図１】
0003100410.tif 000003
【図２】
0003100410.tif 000004
【図３】
0003100410.tif 000005
【図４】
0003100410.tif 000006
【図５】
0003100410.tif 000007
【図６】
0003100410.tif 000008
【図７】
0003100410.tif 000009
【図８】
0003100410.tif 000010
【図９】
0003100410.tif 000011
【図１０】
0003100410.tif 000012
【図１１】
0003100410.tif 000013
【図１２】
0003100410.tif 000014
【図１３】
0003100410.tif 000015